(57)【要約】【課題】バルコニーの側方手摺壁取付構造を提供する。【解決手段】一対の梁８ａ、１４ａと、梁に固着された取付金物と、取付金物に取付取り付けられた手摺壁パネル１５とを含む。取付金物は、梁８ａに固定された第１金物２１と、梁１４ａに固定された第２金物２２と、振れ止め金物２３とを含む。第１金物２１と第２金物２２とは、手摺壁パネル１５の下端を梁８ａ、１４ａよりも上方位置で挟んだ状態で互いに連結固定される。手摺壁パネル１５は、建物本体側の内パネル１７と、その外側に配された外パネル１９とに分割される。振れ止め金物２３は、第１金物２１及び第２金物２２に跨って固定された下側片と、下側片から内パネル１７と外パネル１９とが向き合う側端面間４０を上にのびる立ち上げ部２３Ｂとを有し、内パネル１７と外パネル１９とは、立ち上げ部２３Ｂを挟んで互いに連結固定される。【選択図】図４
2015161120.tif 000002
【特許請求の範囲】
【請求項１】
建物本体から前方に突出するバルコニーの手摺壁のうち、バルコニーの側方部分に配される側方手摺壁を取り付けるための取付構造であって、
前記側方手摺壁の下方かつその両側で前記側方手摺壁に沿ってのびる一対の梁と、前記梁に固着された取付金物と、前記取付金物に取り付けられた手摺壁パネルとを含み、
前記取付金物は、前記一対の梁の一方側に固定された第１金物と、前記一対の梁の他方側に固定された第２金物と、振れ止め金物とを含み、
前記第１金物と前記第２金物とは、前記手摺壁パネルの下端部を前記梁よりも上方位置で挟んで互いに連結固定されており、
前記手摺壁パネルは、前記建物本体側の内パネルと、その外側に配された外パネルとに分割されており、
前記振れ止め金物は、前記第１金物及び前記第２金物に跨って固定された下側片と、前記下側片から前記内パネルと前記外パネルとが向き合う側端面間を上にのびる立ち上げ部とを有し、
前記内パネルと前記外パネルとは、前記振れ止め金物の前記立ち上げ部を挟んだ状態で互いに連結固定されていることを特徴とするバルコニーの側方手摺壁取付構造。
【請求項２】
前記第１金物は、前記内パネルを固定するための内側第１金物と、前記外パネルを固定するための外側第１金物とを含んでおり、
前記内側第１金物と、前記外側第１金物とは、互いに連結固定されている請求項１記載のバルコニーの側方手摺壁取付構造。
【請求項３】
前記第２金物は、前記内パネルを固定するための内側第２金物と、前記外パネルを固定するための外側第２金物とを含んでおり、
前記内側第２金物と、前記外側第２金物とは、互いに連結固定されている請求項１又は２記載のバルコニーの側方手摺壁取付構造。
【請求項４】
前記振れ止め金物は、略逆Ｔ字状のプレートからなる請求項１乃至３のいずれかに記載のバルコニーの側方手摺壁取付構造。
【請求項５】
前記内パネルと前記外パネルとは、前記振れ止め金物を貫通するボルトで固定されており、前記ボルトは、前記第１金物及び第２金物よりも高い位置に設けられている請求項１乃至４のいずれかに記載のバルコニーの側方手摺壁取付構造。
【請求項６】
前記梁の一方は、前記バルコニーを支持するバルコニー梁であり、前記梁の他方は、前記バルコニーに並んで設けられた屋根を支持する屋根梁である請求項１乃至５のいずれかに記載のバルコニーの側方手摺壁取付構造。
【発明の詳細な説明】
【技術分野】
【０００１】
本発明は、例えば、一つの外壁面に、屋根と並んで設けられるようなバルコニーに好適に用いられるバルコニーの側方手摺壁取付構造に関する。
【背景技術】
【０００２】
一般に、工業化住宅では、バルコニーの手摺壁は、パネル状に構成された手摺壁パネルの下端側が、取付金物を介して、バルコニーの外縁に沿って配されたバルコニー梁に、固定されていた。
【０００３】
しかしながら、例えば、狭小地等に立てられる住宅にあっては、一つの外壁面に、バルコニーと、バルコニーの床面とほぼ同高さの陸屋根とが並んで設けられることがある。このような場合、バルコニーの手摺壁のうち、建物本体から前方に突出してのびる陸屋根側の側方手摺壁については、陸屋根を支持する梁との干渉を防ぐための切り欠き部等を設けなければならず、手摺壁パネルの形状が複雑化するという問題があった。
【先行技術文献】
【特許文献】
【０００４】
【特許文献１】特開２００７−９４４１号公報
【発明の概要】
【発明が解決しようとする課題】
【０００５】
本発明は、以上のような問題点に鑑み、案出なされたもので、手摺壁パネルの形状等を複雑化することなく簡単に取付取り付けることができるバルコニーの側方手摺壁取付構造を提供することを課題としている。
【課題を解決するための手段】
【０００６】
本発明は、建物本体から前方に突出するバルコニーの手摺壁のうち、バルコニーの側方部分に配される側方手摺壁を取り付けるための取付構造であって、前記側方手摺壁の下方かつその両側で前記側方手摺壁に沿ってのびる一対の梁と、前記梁に固着された取付金物と、前記取付金物に取り付けられた手摺壁パネルとを含み、前記取付金物は、前記一対の梁の一方側に固定された第１金物と、前記一対の梁の他方側に固定された第２金物と、振れ止め金物とを含み、前記第１金物と前記第２金物とは、前記手摺壁パネルの下端部を前記梁よりも上方位置で挟んで互いに連結固定されており、前記手摺壁パネルは、前記建物本体側の内パネルと、その外側に配された外パネルとに分割されており、前記振れ止め金物は、前記第１金物及び前記第２金物に跨って固定された下側片と、前記下側片から前記内パネルと前記外パネルとが向き合う側端面間を上にのびる立ち上げ部とを有し、前記内パネルと前記外パネルとは、前記振れ止め金物の前記立ち上げ部を挟んだ状態で互いに連結固定されていることを特徴とする。
【０００７】
本発明に係る前記バルコニーの側方手摺壁取付構造において、前記第１金物は、前記内パネルを固定するための内側第１金物と、前記外パネルを固定するための外側第１金物とを含んでおり、前記内側第１金物と、前記外側第１金物とは、互いに連結固定されていることが望ましい。
【０００８】
本発明に係る前記バルコニーの側方手摺壁取付構造において、前記第２金物は、前記内パネルを固定するための内側第２金物と、前記外パネルを固定するための外側第２金物とを含んでおり、前記内側第２金物と、前記外側第２金物とは、互いに連結固定されていることが望ましい。
【０００９】
本発明に係る前記バルコニーの側方手摺壁取付構造において、前記振れ止め金物は、略逆Ｔ字状のプレートからなるのが望ましい。
【００１０】
本発明に係る前記バルコニーの側方手摺壁取付構造において、前記内パネルと前記外パネルとは、前記振れ止め金物を貫通するボルトで固定されており、前記ボルトは、前記第１金物及び第２金物よりも高い位置に設けられているのが望ましい。
【００１１】
本発明に係る前記バルコニーの側方手摺壁取付構造において、前記梁の一方は、前記バルコニーを支持するバルコニー梁であり、前記梁の他方は、前記バルコニーに並んで設けられた屋根を支持する屋根梁であるのが望ましい。
【発明の効果】
【００１２】
本発明のバルコニーの側方手摺壁取付構造は、側方手摺壁の下方かつその両側で前記側方手摺壁に沿ってのびる一対の梁と、前記梁に固着された取付金物と、前記取付金物に取り付けられた手摺壁パネルとを含んでいる。
【００１３】
前記取付金物は、前記一対の梁の一方側に固定された第１金物と、前記一対の梁の他方の梁に固定された第２金物と、振れ止め金物とを含んでいる。
【００１４】
前記第１金物と前記第２金物とは、前記手摺壁パネルの下端部を、前記梁よりも上方位置で挟んで互いに連結固定されているので、手摺壁パネルと梁との干渉が防止される。従って、例えば、バルコニーと、バルコニーの床面とほぼ同高さの陸屋根とが並んで設けられるような状況でも、手摺壁パネルは、陸屋根を支持する梁と干渉することなく取り付けることが可能になる。このため、例えば、手摺壁パネルは、単純な形状で作ることができ、干渉を防ぐための切り欠き部等を設けることも不要になる。
【００１５】
また、手摺壁パネルは、建物本体側の内パネルと、その外側に配された外パネルとに分割されるとともに、内パネルと外パネルとは、第１金物及び第２金物に固定された振れ止め金物を挟んだ状態で互いに連結固定されている。従って、手摺壁パネルは、安定して梁に取付固定される。
【図面の簡単な説明】
【００１６】
【図１】本実施形態のバルコニーの側方手摺壁取付構造が適用された建物の部分正面図である。
【図２】図１のＡ−Ａ断面図である。
【図３】図１のＢ−Ｂ断面図である。
【図４】図３の斜視図である。
【図５】図４の部分拡大図である。
【図６】本実施形態の第２金物の拡大斜視図である。
【図７】図３のＣ−Ｃ断面図である。
【発明を実施するための形態】
【００１７】
以下、本発明の実施の一形態が図面に基づき説明される。
図１には、本実施形態のバルコニーの側方手摺壁取付構造が適用される建物１の２階部分の正面図が示されている。図２は、図１のＡ−Ａ線の概略断面図が示されている。
【００１８】
図１及び図２に示されるように、建物１は、建物本体２の一つの外壁面２ａに、バルコニー３と陸屋根４とが水平方向に並んで設けられている。
【００１９】
バルコニー３は、建物本体３から前方に突出するいわゆる持出しタイプであり、手摺壁６と床面３ａで囲まれたバルコニー空間を提供する。バルコニー３の手摺壁６は、陸屋根４側の側方手摺壁６ａと、前方手摺壁６ｂと、他方の側方手摺壁６ｃとを含んでいる。本発明は、陸屋根４に隣接した側方手摺壁６ａに好適に適用され得る。
【００２０】
バルコニー３は、建物本体２から突出するバルコニー梁８で支持されている。バルコニー梁８は、バルコニー空間の下方に配されている。バルコニー梁８は、例えば、図２に簡略化して示されるように、バルコニー３の外縁に沿った略コ字状に組み立てられており、側方手摺壁６ａに沿って配された側方手摺壁梁８ａと、前方手摺壁６ｂに沿って配された前方手摺壁梁８ｂと、他方の側方手摺壁６ｃに沿って配された他方の側方手摺壁梁８ｃとを含む。両側の側方手摺壁梁８ａ及び８ｃの建物本体２側の端部は、それぞれ、柱９，１０に固定されている。
【００２１】
本実施形態の陸屋根４は、例えば、バルコニー３の床面３ａとほぼ同高さに位置する屋根面４ａを有する。陸屋根４は、屋根梁１４で支持されている。
【００２２】
屋根梁４は、図２に示されるように、例えば、陸屋根４の外縁に沿った略コ字状に組み立てられており、側方手摺壁６ａ側の屋根梁１４ａと、陸屋根４の前縁に沿った前側の屋根梁１４ｂと、側縁側の屋根梁１４ｃとを含んでいる。側方手摺壁側の屋根梁１４ａは、建物本体２の柱１０、１１間に掛け渡された床梁に固定されている。側縁側の屋根梁１４ｃは、柱１１に固定されている。また、本実施形態の屋根梁１４は、前側の屋根梁１４ｂが、側方手摺壁梁８ａの端部に連結されている。これにより、側方手摺壁側の屋根梁１４ａは、前側の屋根梁１４ｂから建物本体２側に控えた位置で終端している。
【００２３】
図３には、図１のＢ−Ｂ線の断面図が示されている。図４は、図３の位置の部分斜視図が示されている。図３及び図４に示されるように、バルコニー３の側方手摺壁６ａは、手摺壁パネル１５を含んでいる。この手摺壁パネル１５は、側方手摺壁６ａの下方かつその両側で側方手摺壁６ａに沿ってのびる側方手摺壁梁８ａ及び屋根梁１４ａに、取付金物２０を介して、固定されている。
【００２４】
手摺壁パネル１５は、建物本体２側の内パネル１７と、その外側に配された外パネル１９とに分割されている。各内パネル１７及び外パネル１９は、それぞれ、公知のように、溝形鋼等の枠材を矩形に枠組みした枠体１５Ａと、その少なくとも一方の面に配された、例えば、ＡＬＣ等の外装材１５Ｂ（図４、図５では省略されている）とを含んでいる。これらは、予め工場等で作られて現場に搬送される。本実施形態では、各パネル１７及び１９は、施工前の状態では、外装材１５Ｂと反対側の面には面材が配されておらず、開口とされている。
【００２５】
取付金物２０は、側方手摺壁梁８ａに固定された第１金物２１と、屋根梁１４ａに固定された第２金物２２と、振れ止め金物２３とを含んでいる。
【００２６】
図５には、図４のさらなる要部拡大図が示されている。図６には、第２金物２２の斜視図が示されている。図５及び図６に示されるように、第１金物２１及び第２金物２２は、ほぼ同じ構成を具えており、側方手摺壁梁８ａ又は屋根梁１４ａに固定される水平部３０と、水平部３０から立ち上がりかつ手摺壁パネル１５に固定される垂直部３１とを含む断面Ｌ字状の金物である。好ましい態様では、各第１金物２１及び第２金物２２は、水平部３０に対する垂直部３１の角度変化を防止するために、両者を連結するリブ材３２が設けられているのが望ましい。
【００２７】
図６に示されるように、水平部３０には、取付孔３０ａが複数設けられている。垂直部３１には、取付孔３１ａが複数設けられている。リブ材３２には、取付孔３２ａが設けられている。
【００２８】
図５に示したように、第１金物２１及び第２金物２２の各水平部３０は、取付孔３０ａに垂直方向の軸線を有するボルト３４が通され、側方手摺壁梁８ａ又は屋根梁１４ａの上部フランジに固定される。これにより、第１金物２１及び第２金物２２の各水平部３０は、互いの垂直部３１、３１が向き合うようにして、側方手摺壁梁８ａ及び屋根梁１４ａに、それぞれ固定される。この状態において、第１金物２１の垂直部３１の取付孔３１ａと、第２金物２２の垂直部３１の取付孔３１ａとは、互いに向き合うように、配置される。
【００２９】
第１金物２１及び第２金物２２の各垂直部３１、３１の間には、手摺壁パネル１５の下端部が挿入される。手摺壁パネル１５の下端部には、予め、垂直部３１の取付孔３１ａに対応する位置に、貫通孔（図示省略）が設けられている。従って、第１金物２１及び第２金物２２の一方側の垂直部３１の取付孔３１ａから水平方向にボルト３５が通され、他方側の垂直部３１の取付孔３１ａに配されたナットに連結される。これにより、第１金物２１と第２金物２２とは、手摺壁パネル１５の下端部を前記各梁８ａ及び１４ａよりも上方位置で挟んで互いに連結固定することができる。
【００３０】
以上の構成により、手摺壁パネル１５は、陸屋根４を支持する屋根梁（この例では、前側の屋根梁１４ｂ）と梁との干渉が防止される。従って、例えば、手摺壁パネル１５には、陸屋根４を支持するための梁との干渉を防ぐための切り欠き部等を設けることも不要になり、構造が簡素化される。
【００３１】
好ましい実施形態では、図３に示されるように、第１金物２１は、例えば、内パネル１７を固定するための内側第１金物２１Ａと、外パネル１９を固定するための外側第１金物２１Ｂとに分割されて構成され得る。同様に、第２金物２２は、例えば、内パネル１７を固定するための内側第２金物２２Ａと、外パネル１９を固定するための外側第２金物２２Ｂとに分割されて構成され得る。この実施形態の場合、部品形状が小型化されるため、可搬性が向上する。さらに好ましくは、内側第１金物２１Ａと外側第１金物２１Ｂとは、例えば、リブ材３２の取付孔３２ａを用いて、互いにボルト３６で一体に連結固定されるのが望ましい。同様に、内側第２金物２２Ａと外側第２金物２２Ｂとは、リブ材３２の取付孔３２ａを用いて、互いにボルト３６で一体に連結固定されるのが望ましい。
【００３２】
図７には、図３のＣ−Ｃ線の断面図が示されている。図４及び図７に示されるように、振れ止め金物２３は、図５、第１金物２１及び第２金物２２に跨って固定された下側片２３Ａと、下側片２３Ａから内パネル１７と外パネル１９とが向き合う側端面間４０を上にのびる立ち上げ部２３Ｂとを有している。本実施形態の振れ止め金物２３は、図７の正面視で、略逆Ｔ字状をなす金属製のプレートで構成されている。特に限定されるものではないが、十分な剛性を具えるために、振れ止め金物２３は、例えば、５mm以上の厚さを有するのが望ましい。
【００３３】
本実施形態では、振れ止め金物２３の下側片２３Ａは、側方手摺壁梁８ａ側にのびている第１下側片２３Ａ１と、屋根梁１４ａ側にのびている第２下側片２３Ａ２とを含んでいる。
【００３４】
図５に示されるように、第１下側片２３Ａ１は、本実施形態では、第１金物２１の内側第１金物２１Ａと外側第１金物２１Ｂとの各リブ片３２、３２間に配され、かつ、貫通するボルト３６で、これらに挟まれて固着されている。同様に、第２下側片２３Ａ２は、第２金物２２の内側第２金物２２Ａと外側第２金物２２Ｂとの各リブ片３２、３２間に配され、かつ、貫通するボルト３６でこれらに挟まれて固着されている。これにより、振れ止め金物２３は、第１金物２１及び第２金物２３に一体に固着されるとともに、側方手摺壁６ａのライン上に、支柱のような立ち上げ部２３Ｂを配置することができる。
【００３５】
さらに、内パネル１７と外パネル１９とは、振れ止め金物２３の立ち上げ部２３Ｂを両側から挟んだ状態で互いに連結固定されている。例えば、互いに向き合う内パネル１７の枠組と、外パネル１９の枠組とは、その間に立ち上げ部２３Ｂを挟んだ状態で、これらを貫通するボルト３８で一体に連結される。ボルト３８は、第１金物２１及び第２金物２２よりも高い位置に設けられているので、手摺壁パネル１５は、その面外方向の左右のふらつきが防止される。なお、上記連結作業は、外装材１５とは反対側の面から行うことができる。そして、連結作業終了後には、手摺壁パネル１５のバルコニー３側の面に、内壁材（図示省略）が配されて仕上げられる。
【００３６】
図７に示されるように、バルコニー３側には、ＡＬＣ等のバルコニー床材４１が、陸屋根４側には、ＡＬＣ等の陸屋根材４２がそれぞれ固定される。これらは、側方手摺壁梁８ａ及び屋根梁１４ａに固定される。好ましい実施形態では、バルコニー床材４１と第１金物２１との隙間、及び、陸屋根材４２と第２金物２２との隙間には、コンクリートが打設される。この際、各金物２１及び２２のリブ材３２は、コンクリートのバックアップ材として、好適に機能する。コンクリートの硬化により、側方手摺壁梁８ａ、屋根梁１４ａ、第１金物２１、第２金物２２及び手摺壁パネル１５を含んだ一体構造物が形成される。このような構成では、手摺壁パネル１５がより強固に梁８ａ及び１４ａに固定され得る。
【００３７】
以上、本発明の好適な実施形態を説明されたが、本発明は、上記実施形態に限定されるものではなく、種々の態様に変更して実施され得る。
【符号の説明】
【００３８】
１  建物
２  建物本体
３  バルコニー
４  陸屋根
４ａ  屋根面
６  手摺壁
６ａ  側方手摺壁
８  バルコニー梁
８ａ  側方手摺壁梁
１４ａ  屋根梁
１５      外装材
１７  内パネル
１９  外パネル
２１  第１金物
２１Ａ  内側第１金物
２１Ｂ  外側第１金物
２２  第２金物
２２Ａ  内側第２金物
２２Ｂ  外側第２金物
２３  振れ止め金物
２３Ａ  下側片
２３Ｂ  立ち上がり部
【図１】
2015161120.tif 000003
【図２】
2015161120.tif 000004
【図３】
2015161120.tif 000005
【図４】
2015161120.tif 000006
【図５】
2015161120.tif 000007
【図６】
2015161120.tif 000008
【図７】
2015161120.tif 000009